(57)【要約】【課題】妨害波による受信信号品質の劣化を抑えるのに好適な放送受信装置を提供すること。【解決手段】各々が独立に放送信号を受信する複数のブランチと、複数のブランチからのブランチ信号を用いてダイバーシティ合成を行う合成手段と、合成手段の出力信号に基づいて受信信号品質を検知する品質検知手段と、検知結果が第一の受信信号品質を満たさない場合に、合成手段に対する複数のブランチの接続を選択的に遮断する接続遮断手段と、複数のブランチの選択的な遮断時の合成手段の出力信号に基づいて受信信号品質が改善したか否かを判定する品質判定手段とを有し、合成手段が、受信信号品質が改善したと判定された場合に、合成手段との接続が遮断された遮断ブランチ以外のブランチ信号を用いてダイバーシティ合成を行うように放送受信装置を構成した。【選択図】図２
2012033998.tif 000002
【特許請求の範囲】
【請求項１】
各々が独立に放送信号を受信する複数のブランチと、
前記複数のブランチからのブランチ信号を用いてダイバーシティ合成を行う合成手段と、
前記合成手段の出力信号に基づいて受信信号品質を検知する品質検知手段と、
検知結果が第一の受信信号品質を満たさない場合に、前記合成手段に対する前記複数のブランチの接続を選択的に遮断する接続遮断手段と、
前記複数のブランチの選択的な遮断時の前記合成手段の出力信号に基づいて前記受信信号品質が改善したか否かを判定する品質判定手段と、
を有し、
前記合成手段は、前記受信信号品質が改善したと判定された場合に、前記合成手段との接続が遮断された遮断ブランチ以外のブランチ信号を用いてダイバーシティ合成を行うことを特徴とする放送受信装置。
【請求項２】
前記遮断ブランチ以外のブランチ信号を用いたダイバーシティ合成の出力信号が第二の受信信号品質を満たさない場合に、前記複数のブランチの中から妨害信号の影響を受けているブランチを選択するブランチ選択手段と、
選択された選択ブランチからのブランチ信号に基づいて所定の参照信号を生成する参照信号生成手段と、
生成された参照信号を用いて前記選択ブランチ以外のブランチにおける妨害信号成分を抑圧する妨害信号抑圧手段と、
を有し、
前記合成手段は、前記妨害信号成分が抑圧されたブランチ信号を用いてダイバーシティ合成を行うことを特徴とする、請求項１に記載の放送受信装置。
【請求項３】
前記参照信号生成手段は、
前記選択ブランチの受信信号の中から前記放送信号の占有周波数帯域外の信号を抽出し、
抽出された占有周波数帯域外の信号を基に前記参照信号を生成する、
ことを特徴とする、請求項２に記載の放送受信装置。
【請求項４】
前記妨害信号抑圧手段は、
前記選択ブランチ以外のブランチ信号と前記参照信号との相関を計算して重み係数を算出し、
算出された重み係数と前記参照信号とを乗算して振幅と位相を調整して前記ブランチ信号との差分をとることで、該ブランチ信号に混入する妨害信号成分を抑圧する、
ことを特徴とする、請求項２又は請求項３に記載の放送受信装置。
【請求項５】
前記ブランチ選択手段は、前記複数のブランチの中から妨害信号の影響を最も強く受けているブランチを選択する、
ことを特徴とする、請求項２から請求項４の何れか一項に記載の放送受信装置。
【請求項６】
移動体に搭載されたことを特徴とする、請求項１から請求項５の何れか一項に記載の放送受信装置。
【発明の詳細な説明】
【技術分野】
【０００１】
本発明は、放送信号を受信して合成ダイバーシティ処理を行う放送受信装置に関連し、詳しくは、外来電波による受信信号品質の劣化を抑えるのに好適な放送受信装置に関する。
【背景技術】
【０００２】
近年、音響機器や映像機器等において音声や映像のデジタル化が進んでいる。音声や映像のデジタル化の趨勢は、放送関連業界にも波及している。現在、放送関連業界では、地上波アナログテレビ放送から地上波デジタルテレビ放送（以下、「ＤＴＶ」と記す。）への移行が段階的に進められている。ＤＴＶを受信するＤＴＶ受信装置は、例えば据え置き型のテレビ受像機だけでなく、テレビチューナ付きＰＣ（Personal Computer）、自動車等の移動体に車載される車載器、携帯電話端末等の情報処理端末にも搭載されている。ＤＴＶ受信装置の具体的構成例は、特許文献１に記載されている。
【０００３】
図１は、既存のＤＴＶ受信装置の構成を示すブロック図である。図１では、受信回路の小型化や低消費電力化に有利なダイレクトコンバージョン方式のＤＴＶ受信装置を例示する。
【０００４】
図１に示されるように、Ｎ本のアンテナ１で受信された信号は、ブランチ毎に、ＲＦ（Radio Frequency）アンプ回路２で受信信号の増幅、利得調整が行われて、フィルタ部３に入力する。各ブランチのフィルタ部３に入力した信号は、フィルタ部３のＢＰＦ（Band-Pass Filter）でフィルタリングされた後、ダイレクトコンバージョンチューナ４でベースバンド信号Ｉ、Ｑに変換される。各ブランチのベースバンド信号は、Ａ／Ｄ変換器５でデジタル信号に変換される。Ａ／Ｄ変換後の各ブランチのベースバンド信号は、ＯＦＤＭ（Orthogonal Frequency Division Multiplex）復調部６でＦＦＴ（Fast Fourier Transform）処理されて個々のサブキャリア成分に分解され、ダイバー合成処理部７でサブキャリア毎に合成される。合成処理後のサブキャリア信号は、誤り訂正処理部８でデマッピング、誤り訂正処理が施されて、ＴＳ（Transport Stream）信号に復調されて再生出力される。この種のＤＴＶ受信装置では、受信信号品質を検知するため、復調データの誤り率をモニタしている。
【先行技術文献】
【特許文献】
【０００５】
【特許文献１】特開２００４−２６６６５８号公報
【発明の概要】
【発明が解決しようとする課題】
【０００６】
ところで、通信インフラの普及に伴い、例えば室内環境において、携帯電話端末や無線ＬＡＮ（Local Area Network）アクセスポイント等による電波の利用の機会が増えている。この種の電波は、ＤＴＶの占有周波数帯域外の電波であるものの、アンテナで混信して妨害波となる虞がある。ＤＴＶ受信装置によるＤＴＶの受信中に妨害波が混信すると、受信チャンネルによっては受信信号品質が劣化して放送信号が復調できないという問題が発生する。
【０００７】
図１に例示されるＤＴＶ受信装置において、妨害電波信号の周波数をｆｕｄと定義し、ＲＦアンプ回路２で生じた妨害波のスプリアス成分の周波数をＭ×ｆｕｄ（Ｍ＝２、３・・・）と定義し、ダイレクトコンバージョンチューナ４の局部発振信号の周波数（受信チャンネルの周波数）をｆＲＦ＿ＬＯと定義し、局部発振信号のスプリアス成分の周波数をＮ×ｆＲＦ＿ＬＯ（Ｎ＝２、３・・・）と定義し、ＤＴＶのチャンネル帯域幅（５．６ＭＨｚ）をｆＤＴＶ＿ＢＷと定義した場合に、次式
｜Ｍ×ｆｕｄ−Ｎ×ｆＲＦ＿ＬＯ｜≦ｆＤＴＶ＿ＢＷ／２
が成立する場合がある。上記式が成立する場合は、受信チャンネルによっては妨害波又はそのスプリアス成分がダイレクトコンバージョンチューナ４の局部発振信号又はそのスプリアス成分と混合して周波数変換される。その結果、不要成分がベースバンド信号に混在して受信信号品質が劣化する。説明を加えると、ＤＴＶの占有周波数帯域の端のチャンネルほど無線機等が発信する妨害波の影響を受けやすく、希望波信号の抑圧による受信信号品質の劣化が大きい。
【０００８】
本発明は上記の事情に鑑みてなされたものであり、その目的とするところは、妨害波による受信信号品質の劣化を抑えるのに好適な放送受信装置を提供することである。
【課題を解決するための手段】
【０００９】
上記の課題を解決する本発明の一形態に係る放送受信装置は、各々が独立に放送信号を受信する複数のブランチと、複数のブランチからのブランチ信号を用いてダイバーシティ合成を行う合成手段と、合成手段の出力信号に基づいて受信信号品質を検知する品質検知手段と、検知結果が第一の受信信号品質を満たさない場合に、合成手段に対する複数のブランチの接続を選択的に遮断する接続遮断手段と、複数のブランチの選択的な遮断時の合成手段の出力信号に基づいて受信信号品質が改善したか否かを判定する品質判定手段とを有する。本発明に係る合成手段は、受信信号品質が改善したと判定された場合に、合成手段との接続が遮断された遮断ブランチ以外のブランチ信号を用いてダイバーシティ合成を行い、受信信号品質の改善を試みる。
【００１０】
本発明に係る放送受信装置は、遮断ブランチ以外のブランチ信号を用いたダイバーシティ合成の出力信号が第二の受信信号品質を満たさない場合に、複数のブランチの中から妨害信号の影響を受けているブランチを選択するブランチ選択手段と、選択された選択ブランチからのブランチ信号に基づいて所定の参照信号を生成する参照信号生成手段と、生成された参照信号を用いて選択ブランチ以外のブランチにおける妨害信号成分を抑圧する妨害信号抑圧手段とを有した構成としてもよい。かかる構成において、合成手段は、妨害信号成分が抑圧されたブランチ信号を用いてダイバーシティ合成を行い、受信信号品質の改善を試みる。
【００１１】
参照信号生成手段は、選択ブランチの受信信号の中から放送信号の占有周波数帯域外の信号を抽出し、抽出された占有周波数帯域外の信号を基に参照信号を生成するように構成されてもよい。
【００１２】
妨害信号抑圧手段は、選択ブランチ以外のブランチ信号と参照信号との相関を計算して重み係数を算出し、算出された重み係数と参照信号とを乗算して振幅と位相を調整してブランチ信号との差分をとることで、該ブランチ信号に混入する妨害信号成分を抑圧するように構成されてもよい。
【００１３】
ブランチ選択手段は、複数のブランチの中から妨害信号の影響を最も強く受けているブランチを選択するように構成されてもよい。
【００１４】
本発明に係る放送受信装置は、例えば移動体に搭載された車載型装置である。
【発明の効果】
【００１５】
本発明によれば、妨害波による受信信号品質の劣化を抑えるのに好適な放送受信装置が提供される。
【図面の簡単な説明】
【００１６】
【図１】既存の放送受信装置の構成を示すブロック図である。
【図２】本発明の実施形態の放送受信装置の構成を示すブロック図である。
【図３】本発明の実施形態の放送受信装置が有する高周波信号処理部の構成を示すブロック図である。
【図４】本発明の実施形態の放送受信装置が有する妨害波抑圧処理部、復調処理部の構成を示すブロック図である。
【図５】本発明の実施形態の放送受信装置で実行される受信制御処理を示すフローチャート図である。
【発明を実施するための形態】
【００１７】
以下、図面を参照して、本発明の実施形態の放送受信装置を説明する。
【００１８】
図２は、本実施形態の放送受信装置１００の構成を示すブロック図である。放送受信装置１００は、例えば車載型のＤＴＶ受信装置であり、図２に示されるように、高周波信号処理部１０、妨害波抑圧処理部２０、復調処理部３０、コントローラ５０を有している。本実施形態において、放送受信装置１００のブランチ数Ｎは４である。図２においては、図面を簡略化する便宜上、コントローラ５０と他のブロックとの結線は省略している。
【００１９】
図２に示されるように、高周波信号処理部１０は、アンテナ１１、ＲＦアンプ回路１２、フィルタ部１３、ダイレクトコンバージョンチューナ１４、Ａ／Ｄ変換器１５を有している。妨害波抑圧処理部２０は、ブランチ入替部２１、妨害信号除去部２２、デマルチプレクサ２３、利得補正部２４を有している。復調処理部３０は、ＯＦＤＭ復調部３１、ゲート３２、ダイバー合成処理部３３、誤り訂正処理部３４を有している。
【００２０】
図３は、高周波信号処理部１０の詳細な構成を示すブロック図である。図３においては、同種の回路構成に同一の数字を付すと共にブランチ毎に異なるアルファベットａ〜ｄを付す。図３については、アルファベットａを付したブランチにおける信号処理を説明する。他のアルファベットｂ〜ｄを付したブランチでの信号処理は、重複説明を避けるため省略する。
【００２１】
図３に示されるように、アンテナ１１ａで受信された信号は、ＲＦアンプ回路１２ａに入力して、増幅、利得調整が行われる。ＲＦアンプ回路１２ａによる増幅、利得調整は、ダイレクトコンバージョンチューナ１４ａから返される検波出力ＲＦ−ＡＧＣに基づいて行われる。
【００２２】
コントローラ５０は、誤り訂正処理部３４が出力する誤り率から受信信号品質をモニタしている。コントローラ５０は、所定の受信信号品質（誤り率が所定値以下）が満たされる場合（以下、「通常受信状態」と記す。）、ＲＦスイッチＳＷ１ａ、ＳＷ２ａをＢＰＦ１３ａにスイッチングしている。所定の受信信号品質が満たされない場合（以下、「受信劣化状態」と記す。）は、後述するように、ＲＦスイッチＳＷ１ａ、ＳＷ２ａを必要に応じてＢＳＦ（Band Stop Filter）にスイッチングする。なお、図３は、ＲＦスイッチＳＷ１ｄ、ＳＷ２ｄをＢＳＦにスイッチングした状態を示している。
【００２３】
ＲＦスイッチＳＷ１ａより後段については、まず、通常受信状態の際の信号処理を説明する。通常受信状態では、ＲＦアンプ回路１２ａの出力は、ＲＦスイッチＳＷ１ａを介してＢＰＦ１３ａに入力する。ＢＰＦ１３ａに入力した信号は、ＲＦ信号にフィルタリングされて、ＲＦスイッチＳＷ２ａを介してダイレクトコンバージョンチューナ１４ａに入力する。ＲＦ信号は、ダイレクトコンバージョンチューナ１４ａでベースバンド信号Ｉ、Ｑに変換される。ベースバンド信号は、Ａ／Ｄ変換器１５ａでデジタル信号に変換されて、妨害波抑圧処理部２０に入力する。
【００２４】
図４は、妨害波抑圧処理部２０及び復調処理部３０の詳細な構成を示すブロック図である。通常受信状態では、各ブランチのＡ／Ｄ変換器１５ａ〜１５ｄが出力するベースバンド信号は、ブランチ入替部２１に入力する。ブランチ入替部２１は、Ａ／Ｄ変換器１５ａ〜１５ｃからのベースバンド信号を妨害信号除去部２２に、Ａ／Ｄ変換器１５ｄからのベースバンド信号をデマルチプレクサ２３に、それぞれスルー出力する。妨害信号除去部２２は、内部の演算処理を行わず各ブランチのベースバンド信号を利得補正部２４ａ〜２４ｃにスルー出力する。デマルチプレクサ２３は、入力したベースバンド信号を利得補正部２４ｄに出力する。
【００２５】
通常受信状態では、利得補正部２４ａ〜２４ｄはそれぞれ、各ブランチのベースバンド信号に利得補正を行い、ＯＦＤＭ復調部３１ａ〜３１ｄに出力する。ＯＦＤＭ復調部３１ａ〜３１ｄは、各ブランチのベースバンド信号にＦＦＴ処理を行い、個々のサブキャリア成分に分解する。各ブランチのサブキャリア成分は、ゲート３２ａ〜３２ｄを介してダイバー合成処理部３３に入力する。ダイバー合成処理部３３は、Ｃ／Ｎ比改善のため、各サブキャリア成分に対して最大比合成を行い、誤り訂正処理部３４に出力する。誤り訂正処理部３４は、合成後のサブキャリア信号をデマッピングによりビットデータに変換後、ビタビ復号、リードソロモン復号を行い、ＭＰＥＧ（Moving Picture Expert Group）−ＴＳ信号を再生出力する。
【００２６】
通常受信状態では、良好な受信状態であるため、４つのブランチを用いたダイバーシティ処理（以下、「４ダイバーシティ処理」と記す。）による高品質なＴＳ信号の復調及び再生を行うことができる。一方、受信劣化状態では、良好な受信状態でないため、ＴＳ信号を正常に復調することができない。そこで、本実施形態では、次に説明する受信制御処理を行う。受信制御処理では、妨害信号による受信信号品質の劣化が大きいブランチを遮断し、又は妨害信号を抑圧した上で合成ダイバーシティ処理を行い、ＴＳ信号の復調を試行する。
【００２７】
図５は、放送受信装置１００で実行される受信制御処理を示すフローチャート図である。受信制御処理は、放送受信装置１００のシステム起動と共に開始されシステム終了と共に終了する。以降の本明細書中の説明並びに図面において、処理ステップは「Ｓ」と省略して記す。
【００２８】
図５に示されるように、Ｓ１の処理では、コントローラ５０は、４ダイバーシティ処理によるＴＳ信号の復調及び再生を行う。Ｓ２の処理では、コントローラ５０は、誤り訂正処理部３４が出力する誤り率をモニタする。Ｓ３の処理では、コントローラ５０は、誤り率が所定値以下であるか否かを検知する。コントローラ５０は、誤り率が所定値以下である場合（Ｓ３：受信良好）、通常受信状態であるため、４ダイバーシティ処理によるＴＳ信号の復調及び再生を継続する（Ｓ１〜Ｓ３）。誤り率が所定値より高い場合は（Ｓ３：受信不能）、受信劣化状態であり、ＤＴＶの占有周波数帯域外の妨害波がアンテナに混入して受信信号品質を劣化させている可能性がある。そのため、コントローラ５０は、処理をＳ４に進める。
【００２９】
Ｓ４の処理では、コントローラ５０は、値の初期化を行う。具体的には、ブランチカウンタＫＢＲを１に、妨害波認識フラグＦＵ−ＢＲｋを「０（ｋ＝１〜Ｎ）」に設定する。アルファベットａのブランチに割り当てられたブランチカウンタＫＢＲは１である。ｂ、ｃ、ｄのブランチに割り当てられたブランチカウンタＫＢＲは順に、２、３、４である。妨害波認識フラグＦＵ−ＢＲ１、ＦＵ−ＢＲ２、ＦＵ−ＢＲ３、ＦＵ−ＢＲ４は順に、アルファベットａ、ｂ、ｃ、ｄのブランチに対応する。
【００３０】
Ｓ５の処理では、コントローラ５０は、ブランチカウンタＫＢＲに対応するゲートを遮断して、ブランチカウンタＫＢＲのブランチをダイバー合成処理部３３から切り離す。ダイバー合成処理部３３は、ブランチカウンタＫＢＲのブランチが切り離された状態（すなわち残りの３つのブランチの信号）で最大比合成を行い、誤り訂正処理部３４に出力する。
【００３１】
Ｓ６の処理では、コントローラ５０は、Ｓ５の処理の実行結果から得られる誤り率を検知して、ブランチカウンタＫＢＲのブランチを切り離したことにより誤り率が改善したか悪化したかを判定する。コントローラ５０は、誤り率が悪化した場合（Ｓ６：悪化）、ブランチカウンタＫＢＲのゲートを接続して（Ｓ７）、処理をＳ８に進める。コントローラ５０は、誤り率が改善した場合（Ｓ６：改善）、ブランチカウンタＫＢＲのブランチについて占有周波数帯域外信号受信モードに移行する（Ｓ１０）。ここでは、アルファベットａのブランチに対する占有周波数帯域外信号受信モードの実行を説明する。
【００３２】
占有周波数帯域外信号受信モードに移行すると、コントローラ５０は、ＲＦスイッチＳＷ１ａ、ＳＷ２ａをＢＳＦにスイッチングする。ＲＦアンプ回路１２ａの出力は、ＲＦスイッチＳＷ１ａを介してＢＳＦに入力する。ＢＳＦに入力した信号は、ＲＦ信号以外の妨害信号（ＤＴＶの占有周波数帯域外の信号）にフィルタリングされて、ＲＦスイッチＳＷ２ａを介してダイレクトコンバージョンチューナ１４ａに入力する。妨害信号は、ダイレクトコンバージョンチューナ１４ａでダウンコンバートされ、ベースバンド周波数帯に変換される。Ｓ１１の処理では、コントローラ５０は、ベースバンド周波数帯に変換された妨害信号の電界強度を検波出力ＲＦ−ＡＧＣでモニタして計測記録する。コントローラ５０は、一定値以上の電界強度をモニタ開始から所定時間経過するまでの間に検知すると、ブランチカウンタＫＢＲに対応する妨害波認識フラグＦＵ−ＢＲｋを「１」にセットして、処理をＳ８に進める。一定値以上の電界強度が検知されずに所定時間経過すると、コントローラ５０は、ブランチカウンタＫＢＲに対応する妨害波認識フラグＦＵ−ＢＲｋを「０」としたまま、処理をＳ８に進める。
【００３３】
Ｓ８の処理では、コントローラ５０は、ブランチカウンタＫＢＲを１インクリメントする。Ｓ９の処理では、コントローラ５０は、ブランチカウンタＫＢＲがＮ（＝４）か否かを判定する。コントローラ５０は、ブランチカウンタＫＢＲがＮ未満である場合（Ｓ９：未完了）、処理をＳ５に戻す。コントローラ５０は、ブランチカウンタＫＢＲがＮである場合（Ｓ９：完了）、処理をＳ１２に進める。
【００３４】
Ｓ１２の処理では、コントローラ５０は、誤り訂正処理部３４が出力する誤り率を検知する。コントローラ５０は、検知した誤り率が所定値以下の場合（Ｓ１２：受信可能）、ダイバー合成処理部３３に接続されているブランチだけで最大比合成を行い、ＴＳ信号を復調し再生する（Ｓ１３）。コントローラ５０は、検知した誤り率が所定値より高い場合（Ｓ１２：受信不能）、妨害波認識フラグＦＵ−ＢＲｋ「１」のブランチが２つ以上あるか否かを判定する（Ｓ１４）。コントローラ５０は、妨害波認識フラグＦＵ−ＢＲｋ「１」のブランチが１つ以下の場合（Ｓ１４：ＮＯ）、受信信号品質の劣化の主原因が妨害波でない可能性があるため、処理を一旦Ｓ１に戻す。コントローラ５０は、妨害波認識フラグＦＵ−ＢＲｋ「１」のブランチが２つ以上ある場合（Ｓ１４：ＹＥＳ）、妨害波抑制処理モードを起動して、Ｓ１５以降の処理を行う。妨害波抑制処理モードが起動すると、ダイバー合成処理部３３から遮断されていたゲートが再接続される。なお、Ｓ１２の判定処理基準である「所定値」と、Ｓ３の判定処理基準である「所定値」は、ＴＳ信号を復調するに足る誤り率に対応する値であり、同一の値であっても異なる値であってもよい。
【００３５】
Ｓ１５の処理では、コントローラ５０は、妨害波認識フラグＦＵ−ＢＲｋ「１」のブランチの検波出力ＲＦ−ＡＧＣによる電界測定結果を比較して、妨害信号の影響が最も強いブランチを特定する。コントローラ５０は、特定されたブランチを、妨害信号を抑圧するための参照ブランチとして設定する。
【００３６】
Ｓ１６の処理では、参照ブランチのダイレクトコンバージョンチューナで妨害信号（ＤＴＶの占有周波数帯域外の信号）がベースバンド周波数帯に変換されてＡ／Ｄ変換器に出力される。他のブランチでは、通常受信状態のときと同じくベースバンド信号が復調されてＡ／Ｄ変換器に出力される。参照ブランチが出力する妨害信号、及び他のブランチが出力するベースバンド信号は、ブランチ入替部２１に入力する。コントローラ５０は、参照ブランチの妨害信号を妨害波抑圧処理で利用する参照信号とするため、ブランチ入替部２１においてブランチの入替を行う。具体的には、ブランチ入替部２１は、コントローラ５０によるブランチ入替制御により、参照ブランチの妨害信号をデマルチプレクサ２３に出力し、他のブランチのベースバンド信号を妨害信号除去部２２に出力する。デマルチプレクサ２３は、参照ブランチの妨害信号を妨害波抑圧用の参照信号として妨害信号除去部２２に出力する。
【００３７】
妨害信号除去部２２は、妨害信号による受信信号品質の劣化を改善すべく、妨害波認識フラグＦＵ−ＢＲｋ「１」のブランチに対して参照信号を用い、ベースバンド信号に混入している妨害信号成分を抑圧する。具体的には、妨害信号除去部２２は、参照信号が入力すると、ブランチ毎にベースバンド信号と参照信号との相関を計算して重み係数を算出する。妨害信号除去部２２は、参照信号に重み係数を乗算して振幅と位相を調整後、ベースバンド信号との差分をとることで、ベースバンド信号内に混入する妨害信号成分を抑圧する。なお、Ｓ１５の処理において妨害信号の影響が強いブランチを参照ブランチとするほど、妨害信号除去部２２による相関演算の際の妨害波パターンの検出精度が向上して、妨害波成分の一層の抑制に資する。このような理由から、Ｓ１５の処理においては、妨害信号の影響が最も強いブランチが参照ブランチとして設定されている。
【００３８】
Ｓ１７の処理では、妨害信号成分を抑圧したベースバンド信号に対して利得補正部２４ａ〜２４ｃによる利得補正が行われる。妨害信号の抑圧で信号レベルが低下したベースバンド信号は、次段のＯＦＤＭ復調処理に十分な信号レベルに増幅される。利得補正後の各ブランチのベースバンド信号は、ＯＦＤＭ復調部３１ａ〜３１ｃで個々のサブキャリア成分に分解されて、ゲート３２ａ〜３３ｃを介してダイバー合成処理部３３に入力する。妨害信号成分が抑圧された各ブランチのサブキャリア成分は、ダイバー合成処理部３３による最大比合成後、誤り訂正処理部３４に入力してＴＳ信号に復調され再生される。
【００３９】
コントローラ５０は、Ｓ１５〜Ｓ１７の処理中、参照ブランチの妨害信号（参照信号）の電界強度に対するモニタリングを継続的に行う。コントローラ５０は、妨害信号の電界強度が所定強度以下に低下したことを検知すると、受信環境が改善したと推定して、処理をＳ１に戻して４ダイバーシティ処理を試行する。
【００４０】
本実施形態の放送受信装置１００によれば、ブランチを選択的に切り離して受信信号品質が改善するか否かを確認することにより、ＤＴＶの占有周波数帯域外の外来電波による妨害を強く受けているブランチを特定することができる。特定したブランチを切り離した状態でダイバーシティ処理を行うことにより、ＴＳ信号を正常に復調し再生することができる。また、特定したブランチを切り離しただけではＴＳ信号を正常に復調できない場合もあり得る。この場合、本来的には不要な信号でしかない妨害信号を積極的に利用して妨害信号成分の抑圧を行い、受信信号品質の改善を試みる。このように、受信制御を適応的に行うことにより、妨害信号による受信信号品質の劣化が好適に抑えられる。
【００４１】
なお、ダイレクトコンバージョン方式のチューナは、スーパーヘテロダイン方式のチューナと比較して不要電波の排除能力が低い。そのため、不要電波による希望波信号の抑圧や不要電波歪みの影響を受けやすいという問題を抱えている。本発明に係る放送受信装置をダイレクトコンバージョン方式のチューナに適用すると、妨害信号による受信信号品質の劣化がより一層効果的に抑えられる。
【００４２】
以上が本発明の実施形態の説明である。本発明は、上記の構成に限定されるものではなく、本発明の技術的思想の範囲において様々な変形が可能である。例えば放送受信装置１００は車載型に限らず、据え置き型のテレビ受像機、テレビチューナ付きＰＣ、携帯電話端末等の情報処理端末に搭載されてもよい。
【符号の説明】
【００４３】
１０  高周波信号処理部
２０  妨害波抑圧処理部
３０  復調処理部
５０  コントローラ
１００  放送受信装置
【図１】
2012033998.tif 000003
【図２】
2012033998.tif 000004
【図３】
2012033998.tif 000005
【図４】
2012033998.tif 000006
【図５】
2012033998.tif 000007